(57)【要約】【課題】親機に対する子機の誤載置を正確に判断できるようにする。【解決手段】無線ＩＤタグ２３を子機２に設けるとともに、子機２の無線ＩＤタグ２３から無線信号で通知されたタグＩＤを受信するタグＩ／Ｆ部１３を親機１に設け、親機１への載置に応じて子機２の無線ＩＤタグ２３から送信された当該カールコードレス電話機に固有のタグＩＤを親機１のタグＩ／Ｆ部１３で受信し、親機制御部１９で、子機２からのタグＩＤと親機１に予め登録されているタグＩＤを比較することにより、異なるカールコードレス電話機の親機に対する子機の誤載置を検出する。【選択図】  図１
2006287340.tif 000002
【特許請求の範囲】
【請求項１】
回線に接続されて呼制御を行う親機と、この親機と無線回線を介して接続されて前記回線を介して通話を行う子機とを有し、前記親機に前記子機を載置する載置場所が設けられているコードレス電話機であって、
前記子機は、前記親機への載置を検出する状態検出部と、前記載置が検出された場合に当該コードレス電話機に固有のタグＩＤを無線信号により送信する無線ＩＤタグとを備え、
前記親機は、前記子機から無線信号により送信されたタグＩＤを受信するタグインターフェース部と、当該コードレス電話機に固有のタグＩＤを記憶する記憶部と、前記タグインターフェース部での子機からのタグＩＤの受信に応じて当該タグＩＤと前記記憶部のタグＩＤとを比較することにより誤載置の有無を判断する親機制御部とを備える
ことを特徴とするコードレス電話機。
【請求項２】
請求項１に記載のコードレス電話機において、
前記親機は、当該親機への子機の載置を検出する載置検出部をさらに備え、
前記親機制御部は、前記載置検出部による前記子機の載置検出に応じて前記子機からのタグＩＤの待ち受けを開始し、この待ち受け開始から前記タグＩＤを最初に受信した後の前記タグＩＤの待ち受けを停止する
ことを特徴とするコードレス電話機。
【請求項３】
請求項１に記載のコードレス電話機において、
前記親機は、異なるコードレス電話機の子機が誤載置されたことを報知する報知部をさらに備え、
前記親機制御部は、前記子機から通知されたタグＩＤと前記記憶部のタグＩＤとの不一致に応じて前記報知部により誤載置を報知する
ことを特徴とするコードレス電話機。
【発明の詳細な説明】
【技術分野】
【０００１】
本発明は、電話機制御技術に関し、特にコードレス電話機の親機に対する子機の誤載置を検出する誤載置検出技術に関する。
【背景技術】
【０００２】
コードレス電話機には、呼制御機能を持つ親機と通話機能を持つハンドセット型の子機とが無線回線を介して接続されるカールコードレス電話機がある。通常、親機が網側からの電話回線やボタン電話装置などの電話システムの制御装置からの内線回線などの回線に接続され、ハンドセット型の子機が、組をなす親機の充電台に載置されて充電される。
このようなカールコードレス電話機では、個々のカールコードレス電話機に固有のＩＤコードが、組をなす親機と子機に予め設定されており、無線通信時には相手のＩＤコードと自装置のＩＤコードとを比較することにより、正規の組をなす親機と子機との間でのみ無線通信が可能となる。
【０００３】
カールコードレス電話機を複数併用する場合、親機の上に異なる組の子機が誤載置される場合がある。例えば、制御装置に複数の電話機を収容して網からの電話回線と交換接続する電話システムにおいて、内線電話機としてカールコードレス電話機を用いた場合、これらカールコードレス電話機同士が隣のデスクなど近い位置に設置される場合がある。また、子機は親機からある程度離れた位置でも無線通信可能であることから、子機の移動範囲が広くなり、誤載置の可能性も高くなる。
【０００４】
従来、このようなカールコードレス電話機が電話システムの内線電話機として用いられる場合に誤載置を検出する技術として、子機を任意の親機に載置すなわちオンフックした場合に、両者で検出したオンフックや載置を制御装置へ通知し、制御装置でこれら親機と子機からの通知のタイミングに基づき誤載置を判断する技術が提案されている（例えば、特許文献１など参照）。
【０００５】
この場合、制御装置は、親機からの載置通知についてはその親機の収容位置などにより親機を識別する。一方、子機で検出されたオンフックについては無線回線を介して当該子機と組をなす親機を介してオンフック通知を受信するため、そのオンフック通知を送信した親機の収容位置などにより子機を識別する。そして、両者の識別結果が不一致となった場合、誤載置が発生したと判断する。
【０００６】
【特許文献１】特開２００４−２５３８６１号公報
【発明の開示】
【発明が解決しようとする課題】
【０００７】
しかしながら、このような従来技術では、親機からの載置通知と子機からのオンフック通知とのタイミングに基づき誤載置有無を判断するため、タイミングによっては誤載置を正確に判断できないという問題点があった。例えば任意の親機へ異なる組の子機が誤載置されたタイミングと、当該親機と組をなす正規の子機が他の親機に誤載置されたタイミングとがほぼ一致した場合、当該親機で誤載置が発生しているにもかかわらず、正規の子機からもオンフックが通知されるため誤載置とは判断されない。
本発明はこのような課題を解決するためのものであり、親機に対する子機の誤載置を正確に判断できるコードレス電話機を提供することを目的としている。
【課題を解決するための手段】
【０００８】
このような目的を達成するために、本発明にかかるコードレス電話機は、回線に接続されて呼制御を行う親機と、この親機と無線回線を介して接続されて回線を介して通話を行う子機とを有し、親機に子機を載置する載置場所が設けられているコードレス電話機であって、子機は、親機への載置を検出する状態検出部と、載置が検出された場合に当該コードレス電話機に固有のタグＩＤを無線信号により送信する無線ＩＤタグとを備え、親機は、子機から無線信号により送信されたタグＩＤを受信するタグインターフェース部と、当該コードレス電話機に固有のタグＩＤを記憶する記憶部と、タグインターフェース部での子機からのタグＩＤの受信に応じて当該タグＩＤと記憶部のタグＩＤとを比較することにより誤載置の有無を判断する親機制御部とを備えている。
【０００９】
親機に、当該親機への子機の載置を検出する載置検出部をさらに備え、親機制御部で、載置検出部による子機の載置検出に応じて子機からのタグＩＤの待ち受けを開始し、この待ち受け開始からタグＩＤを最初に受信した後のタグＩＤの待ち受けを停止するようにしてもよい。
【００１０】
また、親機に、異なるコードレス電話機の子機が誤載置されたことを報知する報知部をさらに備え、親機制御部で、子機から通知されたタグＩＤと記憶部のタグＩＤとの不一致に応じて報知部により誤載置を報知するようにしてもよい。
【発明の効果】
【００１１】
本発明によれば、親機により、子機の無線ＩＤタグから無線信号により送信されたコードレス電話機に固有のタグＩＤを受信し、このタグＩＤの受信に応じて当該タグＩＤと記憶部のタグＩＤとを比較し、その不一致に応じて誤載置を報知するようにしたので、無線ＩＤタグの無線伝搬距離制限に基づいて親機とこの親機に載置された子機との間でタグＩＤが確実に受け渡しされる。
したがって、従来のように電話システムの制御装置で親機と子機からの通知に基づき誤載置有無を判断する場合と比較して、その通知タイミングに影響を受けることなくコードレス電話機を構成する親機と子機とで誤載置を正確に判断できる。
【発明を実施するための最良の形態】
【００１２】
次に、本発明の実施の形態について図面を参照して説明する。
［第１の実施の形態］
まず、図１を参照して、本発明の第１の実施の形態にかかるカールコードレス電話機について説明する。図１は、本発明の第１の実施の形態にかかるカールコードレス電話機の概略構成を示す説明図である。
このカールコードレス電話機は、呼制御機能を持つ親機１と通話機能を持つハンドセット型の子機２との組が無線回線３を介して接続される電話機である。
【００１３】
親機１は、網からの電話回線やボタン電話装置などの電話システムの制御装置（図示せず）からの内線回線などの回線１Ｌに接続される。また、親機１には、子機２を載置して充電などを行う載置場所として充電台１Ａが設けられており、通常、未使用時には親機１の充電台１Ａに子機２が載置される。子機２は、親機１への載置に応じて、子機２の充電端子２Ｂが親機１の充電端子１Ｂと電気的に接続され、これら充電端子１Ｂ，２Ｂを介した親機１からの給電により子機２内の電池が充電される。
【００１４】
本実施の形態では、無線ＩＤタグを子機２に設けるとともに、子機２の無線ＩＤタグから通知されたタグＩＤを受信するタグインターフェース部を親機１に設け、親機１への載置に応じて子機２の無線ＩＤタグから、カールコードレス電話機に固有のタグＩＤ（電話機識別情報）を送信して親機１で受信し、この受信したタグＩＤと親機１に予め登録されているタグＩＤを比較することにより、異なるカールコードレス電話機の親機に対する子機の誤載置を検出するようにしたものである。
【００１５】
［親機］
次に、図２を参照して、本発明の第１の実施の形態にかかるカールコードレス電話機の親機について説明する。図２は、本発明の第１の実施の形態にかかるカールコードレス電話機の親機の構成を示すブロック図である。
親機１には、回線インターフェース部（以下、回線Ｉ／Ｆ部という）１０、無線インターフェース部（以下、無線Ｉ／Ｆ部という）１１、音声処理部１２、タグインターフェース部（以下、タグＩ／Ｆ部という）１３、表示部１４、操作入力部１５、記憶部１６、給電部１７、載置検出部１８、および親機制御部１９が設けられている。
【００１６】
回線Ｉ／Ｆ部１０は、網や電話システムの制御装置からの回線１Ｌを終端制御する回路部である。無線Ｉ／Ｆ部１１は、無線回線３を介して子機２と無線通信を行う回路部である。音声処理部１２は、親機１で子機２すなわちハンドセットを用いずに通話を行うためのスピーカホン機能や、着信あるいは誤載置発生などの各種状態を利用者に通知する各種報知音の生成機能を有する回路部である。タグＩ／Ｆ部１３は、後述する子機２の無線ＩＤタグから所定の無線信号で送信されたタグＩＤを受信して親機制御部１９へ出力する回路部である。
【００１７】
表示部１４は、親機制御部１９からの指示に基づきＬＥＤやＬＣＤを制御して、回線状態、着信あるいは誤載置発生などの各種状態を利用者に通知する各種表示を行う回路部である。操作入力部１５は、利用者によるキー操作を検出する回路部である。記憶部１６は、親機制御部１９での処理動作に用いる、例えば当該カールコードレス電話機に固有のタグＩＤなどの各種情報やプログラムを記憶するメモリである。給電部１７は、充電台１Ａに載置された子機２の電池を充電するための電力を充電端子１Ｂから供給する回路部である。載置検出部１８は当該親機１に対する子機２の載置有無を検出する回路部である。親機制御部１９は、ＣＰＵなどのマイクロプロセッサを有し、記憶部１６のプログラムを読み込んで実行することにより、上記ハードウェアとプログラムとを協働させて親機１の各部を制御して、呼制御や誤載置検出制御を行う機能部である。
【００１８】
［子機］
次に、図３を参照して、本発明の第１の実施の形態にかかるカールコードレス電話機の子機について説明する。図３は、本発明の第１の実施の形態にかかるカールコードレス電話機の子機の構成を示すブロック図である。
子機２には、無線インターフェース部（以下、無線Ｉ／Ｆ部という）２１、音声処理部２２、無線ＩＤタグ２３、表示部２４、操作入力部２５、記憶部２６、充電部２７、電池２０、状態検出部２８、および子機制御部２９が設けられている。
【００１９】
無線Ｉ／Ｆ部２１は、無線回線３を介して親機１とデータ通信を行う回路部である。音声処理部２２は、スピーカやマイク（図示せず）を用いた音声通話機能や各種報知音の生成機能を有する回路部である。無線ＩＤタグ（ＲＦＩＤ：Radio Frequency IDentification）２３は、予め登録されている当該カールコードレス電話機に固有のタグＩＤを所定の無線信号で送信する回路部である。表示部２４は、無線回線３を介して親機１から受け取った指示に基づきＬＥＤやＬＣＤを制御して各種表示を行う回路部である。操作入力部２５は、利用者によるキー操作を検出する回路部である。記憶部２６は、子機制御部２９での処理動作に用いる各種情報やプログラムを記憶するメモリである。
【００２０】
電池２０は子機２の各部で用いる動作電源を蓄電する回路部である。充電部２７は、充電端子２Ｂを介して親機１から供給された電力を電池２０へ充電する回路部である。状態検出部２８は、当該子機２のオンフック／オフフックの状態すなわち載置状態を検出する回路部である。子機制御部２９は、ＣＰＵなどのマイクロプロセッサを有し、記憶部２６のプログラムを読み込んで実行することにより、上記ハードウェアとプログラムとを協働させて子機２の各部を制御して、通話制御や誤載置検出制御を行う機能部である。
【００２１】
状態検出部２８については、公知技術として、親機１に対する子機２の載置により機械的に動作する例えばフックスイッチ、あるいは電気的に動作するフォトインタラプタなど、一般的なスイッチで実現される例もあり、親機１の載置検出部１８でも同様のスイッチを用いてもよい。
また、状態検出部２８として、親機１と子機２との間で充電動作に用いる充電端子１Ｂ，２Ｂ間の電気的接続を検出する例もあり、親機１の載置検出部１８でも同様に電気的接続を検出するようにしてもよい。
【００２２】
この場合、充電端子１Ｂ，２Ｂ間の電気的接続により変化する電気量、例えば電流値や電圧値を、給電部１７や充電部２７から取り込み、その変化に応じて、親機１に対する子機２の載置有無を検出してもよい。
なお、子機２の電池２０が満充電状態となった場合、親機１から子機２に対する充電電力はゼロとなる。したがって、例えば充電端子１Ｂ，２Ｂ間に常時所定値以上の電流を流しておく、あるいは所定の電位を印加しておくことにより、満充電状態であっても充電端子１Ｂ，２Ｂ間の電気的接続の有無を検出してもよい。
【００２３】
本実施の形態で用いる無線ＩＤタグは、内部メモリに予め所定のタグＩＤを登録しておき、外部からの起動指示に応じて所定の無線信号によりタグＩＤを送信するＩＣチップから構成されており、物品の識別などに広く用いられている。この種の無線ＩＤタグは、送信電力が小さく、送信電力を調整することにより無線信号の伝搬距離を制限できる。本実施の形態では、子機２が親機１に載置された距離で無線信号が子機２から親機１のタグＩ／Ｆ部１３へ届く程度の近距離無線通信ができれば十分である。
【００２４】
［第１の実施の形態の動作］
次に、図４を参照して、本発明の第１の実施の形態にかかるカールコードレス電話機の誤載置検出動作について説明する。図４は、本発明の第１の実施の形態にかかるカールコードレス電話機の誤載置検出動作を示すシーケンス図である。
カールコードレス電話機の親機１および子機２は、親機１に対する子機２の載置に応じて図４に示す誤載置検出動作を開始する。
【００２５】
まず、子機２が親機１の充電台１Ａに載置された場合（ステップ１００）、親機１の充電端子１Ｂと子機２の充電端子２Ｂとが電気的に接続されて、親機１の給電部１７で充電が開始され（ステップ１０１）、これに応じた親機１から子機２の充電部２７へ電力供給により（ステップ１０２）、充電部２７で電池２０が充電される。
一方、子機２の子機制御部２９は、親機１への載置が状態検出部２８で検出された場合（ステップ１１０）、無線ＩＤタグ２３を起動する（ステップ１１１）。これにより、無線ＩＤタグ２３から無線ＩＤタグ２３内部に予め登録されているタグＩＤが無線信号により親機１へ通知される（ステップ１１２）。
【００２６】
親機１のタグＩ／Ｆ部１３は、子機２の無線ＩＤタグ２３から無線信号により通知されたタグＩＤを受信する。親機制御部１９は、タグＩ／Ｆ部１３で受信されたタグＩＤと、記憶部１６に予め登録されているタグＩＤとを比較する（ステップ１２０）。
ここで、子機２から通知されたタグＩＤと親機１のタグＩＤとが不一致の場合（ステップ１２１：ＹＥＳ）、親機制御部１９は、載置された子機２は当該親機１と異なるカールコードレス電話機の子機であると判断し、音声処理部１２を制御して誤載置が発生したことを示す所定の報知音を出力（可聴表示）し、あるいは表示部１４を制御して誤載置が発生したこと警報表示（可視表示）することにより利用者に報知し（ステップ１２２）、一連の誤載置検出動作を終了する。
【００２７】
一方、子機２から通知されたタグＩＤと親機１のタグＩＤとが一致した場合（ステップ１２１：ＮＯ）、親機制御部１９は、載置された子機２は当該親機１と同一のカールコードレス電話機の子機であると判断し、誤載置表示を行うことなく、一連の誤載置検出動作を終了する。
【００２８】
このように、本実施の形態は、無線ＩＤタグ２３を子機２に設けるとともに、子機２の無線ＩＤタグ２３から通知されたタグＩＤを受信するタグＩ／Ｆ部１３を親機１に設け、親機１への載置に応じて子機２の無線ＩＤタグ２３から送信された当該カールコードレス電話機に固有のタグＩＤを親機１のタグＩ／Ｆ部１３で受信し、親機制御部１９で、この受信したタグＩＤと親機１に予め登録されているタグＩＤを比較することにより、異なるカールコードレス電話機の親機に対する子機の誤載置を検出するようにしたので、無線ＩＤタグの無線伝搬距離制限に基づいて親機とこの親機に載置された子機との間でタグＩＤが確実に受け渡しされる。
【００２９】
したがって、従来のように電話システムの制御装置で親機と子機からの通知に基づき誤載置有無を判断する場合と比較して、その通知タイミングに影響を受けることなくカールコードレス電話機を構成する親機と子機とで誤載置を正確に判断できる。
【００３０】
［第２の実施の形態］
次に、図５を参照して、本発明の第２の実施の形態にかかるカールコードレス電話機について説明する。図５は、本発明の第２の実施の形態にかかるカールコードレス電話機での誤載置検出動作を示すシーケンス図であり、前述の図４と同じまたは同等部分には同一符号を付してある。
【００３１】
前述した第１の実施の形態では、子機２からのタグＩＤの通知を親機１が常時待ち受ける場合について説明した。本実施の形態では、子機２からのタグＩＤの通知に対する親機１での待ち受け期間を制限する場合について説明する。なお、親機１および子機２の構成については、前述した図１と同様であり、ここでの説明は省略する。
【００３２】
親機１の親機制御部１９は、載置検出部１８での子機２の載置検出に応じて（ステップ１０３）、タグＩ／Ｆ部１３により、子機２からのタグＩＤの通知の待ち受けを開始する。そして、待ち受けを開始した後、タグＩ／Ｆ部１３で最初にタグＩＤが受信された場合、それ以降のタグＩＤの通知の待ち受けを停止して（ステップ１３０）、前述したステップ１２０へ移行する。
【００３３】
このように、本実施の形態では、親機１の親機制御部１９により、載置検出部１８による子機２の載置検出に応じて子機からのタグＩＤの待ち受けを開始し、この待ち受け開始からタグＩＤを最初に受信した後のタグＩＤの待ち受けを停止するようにしたので、子機２からのタグＩＤの通知に対する親機１での待ち受け期間を制限することができ、子機２が載置されていない状態で送信されたタグＩＤや、子機２の載置後の他の子機からのタグＩＤの受信を回避でき、より正確な誤載置検出を実現できる。
【００３４】
なお、タグＩＤの待ち受け開始／停止については、親機制御部１９がタグＩ／Ｆ部１３での受信機能に対する稼働／停止を制御してもよく、タグＩ／Ｆ部１３の受信機能を常時稼働させておき、タグＩ／Ｆ部１３からのタグＩＤの受け取り可否を制御してもよい。
【００３５】
また、タグＩＤの待ち受けを停止するタイミングについては、最初のタグＩＤの受信を完了した後であればいずれのタイミングでも待ち受けを停止してもよい。例えば、最初に受信したタグＩＤに対する判定処理が終了した時点、例えば図５のステップ１２１：ＮＯやステップ１２２が実行された時点で待ち受けを停止してもよい。なお、最初のタグＩＤの受信完了直後に行えば、待ち受け期間が最も短くなり、子機２の載置後の他の子機からのタグＩＤの受信を正確に回避できる。
【００３６】
［実施の形態の拡張］
前述した各実施の形態では、子機２から親機１へ送信するタグＩＤが子機２の無線ＩＤタグ２３内のメモリに予め登録されている場合を例として説明したが、これに限定されるものではない。例えば、子機２の記憶部２６にタグＩＤを格納しておき、タグＩＤを送信する際に記憶部２６から読み出して無線ＩＤタグ２３から無線信号で親機１へ送信するようにしてもよい。
また、タグＩＤとして、無線通信時に通信相手を識別するためのＩＤコードを共用してもよく、親機１および子機２で管理する情報量を削減できるとともに、その比較処理を共通化できる。
【００３７】
また、各実施の形態では、親機に呼制御機能や操作機能を持ち子機をハンドセットとして制御するカールコードレス電話機に適用した場合を例として説明したが、これら限定されるものではない。例えば親機が基本的な中継機能だけを持ち、子機が電話機として呼制御機能や操作機能を持つような他の構成のコードレス電話機にも適用できる。
【図面の簡単な説明】
【００３８】
【図１】本発明の第１の実施の形態にかかるカールコードレス電話機の概略構成を示す説明図である。
【図２】本発明の第１の実施の形態にかかるカールコードレス電話機の親機の構成を示すブロック図である。
【図３】本発明の第１の実施の形態にかかるカールコードレス電話機の子機の構成を示すブロック図である。
【図４】本発明の第１の実施の形態にかかるカールコードレス電話機の誤載置検出動作を示すシーケンス図である。
【図５】本発明の第２の実施の形態にかかるカールコードレス電話機の誤載置検出動作を示すシーケンス図である。
【符号の説明】
【００３９】
１…親機、１Ａ…充電台、１Ｂ…充電端子、１Ｌ…回線、１０…回線Ｉ／Ｆ部、１１…無線Ｉ／Ｆ部、１２…音声処理部、１３…タグＩ／Ｆ部、１４…表示部、１５…操作入力部、１６…記憶部、１７…給電部、１８…載置検出部、１９…親機制御部、２…子機、２Ｂ…充電端子、２０…電池、２１…無線Ｉ／Ｆ部、２２…音声処理部、２３…タグＩ／Ｆ部、２４…表示部、２５…操作入力部、２６…記憶部、２７…充電部、２８…状態検出部、２９…子機制御部、３…無線回線。
【図１】
2006287340.tif 000003
【図２】
2006287340.tif 000004
【図３】
2006287340.tif 000005
【図４】
2006287340.tif 000006
【図５】
2006287340.tif 000007